(57)【要約】【課題】コストを低減することができる現金管理装置の提供。【解決手段】現金管理装置本体に引き出し可能に設けられる収納庫が、枠体と、棒金Ｂを収納可能であって枠体に設けられる複数の棒金トレイ３８と、を備え、棒金トレイ３８が、棒金Ｂを立位状態で１カ所に複数本収納可能であって下方に凹む上方開口形状の棒金収納凹部４１と、棒金収納凹部４１の周囲に設けられ、棒金収納凹部４１内の満杯状態にない１本または複数本の棒金Ｂを立位状態に維持するように輪ゴムＲを係止可能な複数の係止部５０と、を有し、棒金収納凹部４１は、満杯に棒金Ｂを収納する状態で、それぞれ収納庫の引き出し方向に１列に並ぶ３本の棒金列、４本の棒金列および３本の棒金列を形成するハニカム状をなす。【選択図】図５
2016091152.tif 000002
【特許請求の範囲】
【請求項１】
現金管理装置本体と、
該現金管理装置本体に引き出し可能に設けられる収納庫と、を有する現金管理装置であって、
前記収納庫は、
枠体と、
棒金を収納可能であって前記枠体に設けられる複数の棒金トレイと、を備え、
前記棒金トレイは、
棒金を立位状態で１カ所に複数本収納可能であって下方に凹む上方開口形状の棒金収納凹部と、
該棒金収納凹部の周囲に設けられ、前記棒金収納凹部内の満杯状態にない１本または複数本の棒金を立位状態に維持するように輪ゴムを係止可能な複数の係止部と、を有し、
前記棒金収納凹部は、満杯に棒金を収納する状態で、それぞれ前記収納庫の引き出し方向に１列に並ぶ３本の棒金列、４本の棒金列および３本の棒金列を形成するハニカム状をなすことを特徴とする現金管理装置。
【請求項２】
前記複数の棒金トレイは、それぞれ収納する棒金の金種が決められており、
同一金種用の全ての前記棒金トレイが前記複数の係止部を有することを特徴とする請求項１記載の現金管理装置。
【請求項３】
前記棒金収納凹部に満杯に収納された棒金の隣り合うもの同士を結ぶ線の垂直二等分線上に前記係止部が配置されていることを特徴とする請求項１または２記載の現金管理装置。
【請求項４】
前記係止部は、前記棒金収納凹部の上端開口部よりも上側位置に、前記棒金収納凹部とは水平反対方向に突出する突起部が形成されていることを特徴とする請求項１乃至３のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金用の収納庫に複数の金種別の棒金トレイが装備されることになるが、金種別に満杯収納用と端数収納用の２種類の棒金トレイが使用されているため、コスト面で改善の余地があった。
【０００５】
本発明は、上記の点に鑑みなされたもので、コストを低減することができる現金管理装置の提供を目的とする。
【課題を解決するための手段】
【０００６】
上記目的を達成するために、請求項１に係る発明は、現金管理装置本体と、該現金管理装置本体に引き出し可能に設けられる収納庫と、を有する現金管理装置であって、前記収納庫は、枠体と、棒金を収納可能であって前記枠体に設けられる複数の棒金トレイと、を備え、前記棒金トレイは、棒金を立位状態で１カ所に複数本収納可能であって下方に凹む上方開口形状の棒金収納凹部と、該棒金収納凹部の周囲に設けられ、前記棒金収納凹部内の満杯状態にない１本または複数本の棒金を立位状態に維持するように輪ゴムを係止可能な複数の係止部と、を有し、前記棒金収納凹部は、満杯に棒金を収納する状態で、それぞれ前記収納庫の引き出し方向に１列に並ぶ３本の棒金列、４本の棒金列および３本の棒金列を形成するハニカム状をなすことを特徴とする。
【０００７】
請求項２に係る発明は、請求項１に係る発明において、前記複数の棒金トレイは、それぞれ収納する棒金の金種が決められており、同一金種用の全ての前記棒金トレイが前記複数の係止部を有することを特徴とする。
【０００８】
請求項３に係る発明は、請求項１または２に係る発明において、前記棒金収納凹部に満杯に収納された棒金の隣り合うもの同士を結ぶ線の垂直二等分線上に前記係止部が配置されていることを特徴とする。
【０００９】
請求項４に係る発明は、請求項１乃至３のいずれか一項に係る発明において、前記係止部は、前記棒金収納凹部の上端開口部よりも上側位置に、前記棒金収納凹部とは水平反対方向に突出する突起部が形成されていることを特徴とする。
【発明の効果】
【００１０】
請求項１に係る発明によれば、棒金トレイの１カ所の下方に凹む上方開口形状の棒金収納凹部に、満杯に棒金を収納すれば、棒金を立位状態で収納することができる。他方、棒金収納凹部に満杯に棒金を収納することができない場合は、棒金収納凹部の周囲に設けられた複数の係止部に輪ゴムを係止し、この輪ゴムで棒金収納凹部内の満杯状態にない１本または複数本の棒金を立位状態に維持することができる。よって、同じ棒金トレイを満杯収納用と端数収納用とで共用化しても、満杯の棒金および端数の棒金のいずれも立位状態で収納することができる。したがって、同じ棒金トレイを満杯収納用と端数収納用とで共用化できるため、コストを低減することができる。また、同じ棒金トレイを満杯収納用と端数収納用とで共用化した場合には、複数の棒金トレイの中から任意で満杯収納用と端数収納用とを設定することができる。したがって、使い勝手性が向上する。加えて、棒金収納凹部は、満杯に棒金を収納する状態で、それぞれ収納庫の引き出し方向に１列に並ぶ３本の棒金列、４本の棒金列および３本の棒金列を形成するため、棒金収納凹部の周囲に複数の係止部を設けても棒金トレイの幅方向の拡大を抑制できる。また、棒金収納凹部はハニカム状をなすため、製造が容易となり、コストをより低減することができる。
【００１１】
請求項２に係る発明によれば、同一金種用の全ての棒金トレイが複数の係止部を有するため、同一金種用の全ての棒金トレイを共用化することができる。したがって、コストをより低減することができる。
【００１２】
請求項３に係る発明によれば、係止部が、棒金収納凹部に満杯に収納された棒金の隣り合うもの同士を結ぶ線の垂直二等分線上に配置されているため、これら隣り合う棒金のいずれにも輪ゴムを掛け易くなる。よって、係止部の数を減らすことができるため、コストをより低減することができる。
【００１３】
請求項４に係る発明によれば、係止部の棒金収納凹部の上端開口部よりも上側位置に、棒金収納凹部とは水平反対方向に突出する突起部が形成されているため、輪ゴムの係止部からの外れを規制できる。したがって、係止部に掛けられた輪ゴムによる棒金の支持がより安定する。
【図面の簡単な説明】
【００１４】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の棒金トレイを示す斜視図である。
【図５】本発明の一実施形態に係る現金管理装置の棒金トレイを示すもので、（ａ）は平面図、（ｂ）は（ａ）のＡ−Ａ断面図である。
【図６】本発明の一実施形態に係る現金管理装置の棒金トレイを示す平面図である。
【図７】本発明の一実施形態に係る現金管理装置の棒金収納庫近傍を示す部分斜視図である。
【図８】本発明の一実施形態に係る現金管理装置の棒金収納庫を示す平面図であって、（ａ）は現金管理装置本体に配置される下側の棒金検出センサとの対応関係を示すもの、（ｂ）は現金管理装置本体に配置される上側の棒金検出センサとの対応関係を示すものである。
【図９】本発明の一実施形態に係る現金管理装置の収納庫近傍を示す側面図である。
【発明を実施するための形態】
【００１５】
本発明の一実施形態に係る現金管理装置を図面を参照して以下に説明する。
【００１６】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００１７】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００１８】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００１９】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２０】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２１】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００２２】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数、具体的には、前後に金種径に応じて６つまたは５つ、左右に４列の合成樹脂製の図４にも示す棒金トレイ３８を有している。
【００２３】
ここで、各棒金トレイ３８は、それぞれ予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、３段の棒金収納庫１２（Ｃ）のうちの最も上段の棒金収納庫１２（Ｃ）は、最も左側および左から２番目の２列の棒金トレイ３８が共に１円棒金収納用、最も右側および右から２番目の２列の棒金トレイ３８が共に５円棒金収納用となっている。また、３段の棒金収納庫１２（Ｃ）のうちの上から２段目の棒金収納庫１２（Ｃ）は、最も左側および左から２番目の２列の棒金トレイ３８が共に１０円棒金収納用、最も右側および右から２番目の２列の棒金トレイ３８が共に５０円棒金収納用となっている。また、３段の棒金収納庫１２（Ｃ）のうちの最下段の棒金収納庫１２（Ｃ）は、最も左側および左から２番目の２列の棒金トレイ３８が共に１００円棒金収納用、最も右側および右から２番目の２列の棒金トレイ３８が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。
【００２４】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００２５】
図３に示すように、棒金トレイ３８には、棒金Ｂが中心軸線を上下方向に沿わせた立位状態で収納される。図４に示すように、棒金トレイ３８は、長方形の平板状をなして水平に配置される基板部４０と、基板部４０の水平方向における内側部分に設けられて下方に凹む上方開口形状をなす棒金収納凹部４１とを有している。棒金トレイ３８は、この棒金収納凹部４１にその上端開口部を介して上方から棒金Ｂが挿入されることになり、棒金収納凹部４１は、このように挿入された棒金Ｂを図３に示すように上方に一部突出させて収納する。
【００２６】
図４に示すように、棒金収納凹部４１は、６カ所の平坦な壁面４２を有する鉛直方向に沿う壁部４３と、壁部４３の下部を閉塞するように全体として水平方向に沿う底部４４とを有している。壁面４２のうち、左右両端の２カ所の壁面４２は、同一長さで前後方向に延び互いに前後方向の位置を合わせており、他の４カ所の壁面４２は、同一長さで上記２カ所の壁面４２よりも長さが短くなっている。長さが短い４カ所の壁面４２のうち、前側の２カ所は、左右両端の２カ所の壁面４２の前端部から前側ほど互いに近接するように延出して互いに交わっており、後側の２カ所は、左右両端の２カ所の壁面４２の後端部から後側ほど互いに近接するように延出して互いに交わっている。よって、壁部４３は角部４８を６カ所有する六角形の筒状をなしている。隣り合う壁面４２と壁面４２とのなす角は全て１２０度となっている。壁部４３は、基板部４０よりも下方向に延出しており、よって、底部４４は基板部４０よりも下方に位置している。
【００２７】
壁部４３および底部４４で形成される結果、棒金収納凹部４１は、下方に凹む上方開口形状をなしており、平面視六角形のハニカム状をなしている。上記したように、棒金トレイ３８の棒金収納凹部４１は、予め設定された単一の収納対象金種の棒金Ｂのみが収納されることになり、棒金トレイ３８の棒金収納凹部４１の長さが長い２カ所の壁面４２および長さが短い４カ所の壁面４２の長さは、収納対象金種の棒金Ｂの外径に合わせて設定されている。
【００２８】
棒金トレイ３８の棒金収納凹部４１には、長さが長い各壁面４２に近接するように３本の棒金Ｂが、長さが短い各壁面４２に近接するように２本の棒金Ｂが収納されることになり、壁面４２と壁面４２との間の角部４８に近接する１本の棒金Ｂがこれら壁面４２および壁面４２の両方に近接する。これにより、壁部４３に近接するように合計８本の棒金Ｂが環状に配置されることになり、これら８本の棒金Ｂの内側にさらに２本の棒金Ｂが前後に並んで収納されることになる。
【００２９】
そして、このように、棒金収納凹部４１に満杯に棒金Ｂを収納する状態で、左側に、左右方向の位置を合わせて収納庫１２の引き出し方向である前後方向に１列に並べられる３本の棒金Ｂの列が形成され、右側に、左右方向の位置を合わせて前後方向に１列に並べられる３本の棒金Ｂの列が形成され、左右方向の中央に、左右方向の位置を合わせて前後方向に１列に並べられる４本の棒金Ｂの列が形成される。つまり、一つの棒金トレイ３８には、下方に凹む上方開口形状の棒金収納凹部４１が１カ所のみ形成されており、この１カ所の棒金収納凹部４１は、棒金Ｂが立位状態で所定の複数本（具体的には１０本）収納可能なハニカム状となっている。
【００３０】
左右２列の棒金Ｂは前後方向の位置を互いに合わせており、中央の棒金Ｂは、これらに対して前後方向の位置を棒金Ｂの半径分ずらしている。棒金Ｂは、棒金収納凹部４１に、その上部開口部を介して上方から挿入されることになり、棒金収納凹部４１に満杯に収納された状態では、棒金収納凹部４１の水平に配置された底部４４、鉛直に配置された壁部４３および鉛直に配置された他の棒金Ｂで支持されて中心軸線を鉛直配置した鉛直立位状態に維持される。棒金収納凹部４１に満杯に収納された状態で棒金Ｂがそれぞれ配置される位置が、棒金収納凹部４１内で１本の棒金Ｂが配置される１本収納空間４７となっている。
【００３１】
棒金収納凹部４１の底部４４の各棒金Ｂの収納位置、つまり各１本収納空間４７の底位置には、上下に貫通する貫通孔４６が形成されている。貫通孔４６および１本収納空間４７は、満杯状態の棒金Ｂと同様、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００３２】
そして、本実施形態において、棒金トレイ３８の棒金収納凹部４１の周囲の基板部４０には、無端環状の図５（ａ）に示す輪ゴムＲを掛けるための複数の柱状の係止部５０が立設されている。図５（ｂ）に示すように、これらの係止部５０は、基板部４０から棒金収納凹部４１の上端開口部よりも上方まで延出している。係止部５０は、図５（ａ）に示すように、長さの短い４カ所の各壁面４２の水平な垂直二等分線上に設けられている。また、これらの係止部５０のそれぞれが近接する壁面４２と隣り合う長さが長い壁面４２との境界を中心とする線対称位置にも係止部５０が設けられている。よって、係止部５０の数は、８カ所となっている。棒金収納凹部４１に収納対象金種の棒金Ｂが満杯に収納された状態で、壁部４３に近接するように棒金Ｂが配置されることになり、全ての係止部５０は、棒金収納凹部４１に満杯に収納された棒金Ｂのうち、壁部４３に近接配置されて互いに隣り合うもの同士を結ぶ線の水平な垂直二等分線上に配置されている。
【００３３】
図４に示すように、各係止部５０は、基板部４０から立ち上がる円柱状の柱状部５１と、柱状部５１の上端部から棒金収納凹部４１とは水平反対方向に突出する突起部５２とを有している。係止部５０に形成されたこの突起部５２は、柱状部５１と同心の扇状をなしており、より具体的には半円状をなしている。突起部５２は、図５（ｂ）に示すように全体が棒金収納凹部４１の上端開口部よりも上側に位置するように形成されている。
【００３４】
図５（ａ）および図６に示すように、複数の係止部５０は、棒金収納凹部４１内の満杯状態にない１本または複数本の棒金Ｂを立位状態に維持するように輪ゴムＲを係止可能となっている。例えば、棒金Ｂを１本だけ棒金収納凹部４１に収納する場合には、図５（ａ）に示すように、棒金Ｂを壁部４３の任意の角部４８に近接配置し、この角部４８に近い３カ所の係止部５０の柱状部５１に、これらの柱状部５１と棒金Ｂとを内側に配置しつつ輪ゴムＲを掛ける。すると、輪ゴムＲが棒金Ｂを近接する角部４８を構成する壁面４２と壁面４２とに押し付ける。これにより、１本のみの棒金Ｂを立位状態に維持しつつ角部４８の内側の１本収納空間４７に収納できる。この棒金Ｂの鉛直下方にはこの棒金Ｂと同心をなすように貫通孔４６が配置されている。
【００３５】
また、例えば、棒金Ｂを３本だけ棒金収納凹部４１に収納する場合には、図６に示すように、これらの棒金Ｂを、長さが短い２カ所の壁面４２と長さが長い１カ所の壁面４２に近接配置し、これらの壁面４２に近い４カ所の係止部５０の柱状部５１に、これらの柱状部５１と３本の棒金Ｂとを内側に配置しつつ輪ゴムＲを掛ける。すると、輪ゴムＲが１本の棒金Ｂを近接する長さが長い壁面４２に押し付け、この棒金Ｂを介して他の２本の棒金Ｂをそれぞれ近接する壁面４２に押し付ける。これにより、３本のみの棒金Ｂを立位状態に維持しつつそれぞれ対応する１本収納空間４７に収納できる。これらの棒金Ｂのそれぞれの鉛直下方には、これらの棒金Ｂと同心状をなすように貫通孔４６が配置されている。適宜の係止部５０を選択して、選択した係止部５０の柱状部５１と棒金Ｂとを内側に配置するように輪ゴムＲを掛け、必要により複数本の輪ゴムＲを用いることで、１本〜９本の棒金Ｂを、立位状態を維持しつつそれぞれ対応する１本収納空間４７に収納することができる。図６に示す二点鎖線は、さらに１本の棒金Ｂを追加して収納する場合を示している。
【００３６】
現金管理装置１０の全ての棒金収納庫１２（Ｃ）に設けられる全ての棒金トレイ３８は、いずれも係止部５０を有している。つまり、同一金種用となる１円棒金用の全ての棒金トレイ３８が係止部５０を有する共通部品となっており、同一金種用となる５円棒金用の全ての棒金トレイ３８が係止部５０を有する共通部品となっており、同一金種用となる１０円棒金用の全ての棒金トレイ３８が係止部５０を有する共通部品となっており、同一金種用となる５０円棒金用の全ての棒金トレイ３８が係止部５０を有する共通部品となっており、同一金種用となる１００円棒金用の全ての棒金トレイ３８が係止部５０を有する共通部品となっており、同一金種用となる５００円棒金用の全ての棒金トレイ３８が係止部５０を有する共通部品となっている。
【００３７】
図４に示すように、各棒金トレイ３８には、それぞれの基板部４０の上面に、収納対象の金種を目視可能に明示する金種明示部６２が設けられている（図４は１０円棒金の例）。各棒金トレイ３８に収納すべき設定金種を示す収納金種データは、予め設定されて記憶部２６に記憶されることになる。
【００３８】
図７に示すように、現金管理装置本体１１の各棒金収納庫１２（Ｃ）が挿入される棒金収納庫挿入空間形成部７５の下部の前端部には、棒金収納庫１２（Ｃ）の左右４列の棒金トレイ３８のそれぞれの３列の貫通孔４６の直ぐ下側となる位置に、左右方向に同列で前後方向に並ぶ貫通孔４６を介して棒金Ｂの下端部の反射光を検出する光学反射型の棒金検出センサ７６が位置固定で設けられている。
【００３９】
また、現金管理装置本体１１の各棒金収納庫１２（Ｃ）が挿入される棒金収納庫挿入空間形成部７５の上部の前端部には、棒金収納庫１２（Ｃ）の左右４列の棒金トレイ３８のそれぞれの３列の１本収納空間４７の上方近接位置に、左右方向に同列で前後方向に並ぶ棒金Ｂの上端部の反射光を検出する光学反射型の棒金検出センサ７７が、それぞれ位置固定で設けられている。
【００４０】
つまり、棒金検出センサ７６は、図８（ａ）にも示すように、１つの棒金収納庫１２（Ｃ）に対し左右方向に並べられて１２カ所設けられ、棒金検出センサ７７も、図８（ｂ）にも示すように、１つの棒金収納庫１２（Ｃ）に対し左右方向に並べられて１２カ所設けられている。
【００４１】
棒金検出センサ７６は、検出方向を上方に向けており、各発光素子が上方に発光した光の上方からの反射光を対応する受光素子で受光するようになっている。その結果、各棒金収納庫１２（Ｃ）のそれぞれの直ぐ下に設けられた棒金検出センサ７６が、これらの直ぐ上で前後にスライドする棒金収納庫１２（Ｃ）の各棒金収納凹部４１に収納された棒金Ｂの下端部の反射光データである貨幣検出データを貫通孔４６を介して取得することになる。
【００４２】
棒金検出センサ７７は、検出方向を下方に向けており、各発光素子が下方に発光した光の下方からの反射光を対応する受光素子で受光するようになっている。その結果、各棒金収納庫１２（Ｃ）のそれぞれの直ぐ上に設けられた棒金検出センサ７７が、これらの直ぐ下で前後にスライドする棒金収納庫１２（Ｃ）の各棒金収納凹部４１に収納された棒金Ｂの上端部の反射光データである貨幣検出データを取得することになる。
【００４３】
なお、検出対象となる棒金収納庫１２（Ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金検出センサ７６，７７は、検出対象となる棒金収納庫１２（Ｃ）の各棒金収納凹部４１の前後方向の全範囲を検出できるようになっている。棒金検出センサ７６は、棒金収納庫１２（Ｃ）の開閉に伴って通過する、この棒金収納庫１２（Ｃ）内の棒金Ｂの下端部から貨幣検出データを取得することになり、棒金検出センサ７７は、棒金収納庫１２（Ｃ）の開閉に伴って通過する、この棒金収納庫１２（Ｃ）内の棒金Ｂの上端部から貨幣検出データを取得することになる。
【００４４】
ここで、制御部２５は、棒金検出センサ７６，７７の貨幣検出データから、反射光量が多い棒金Ｂの部分と、棒金Ｂがなく反射光量が少なくなる他の部分とを区別することで、棒金Ｂが収納されている範囲を検出するとともに、棒金Ｂの反射光量から金種等を識別することになる。
【００４５】
制御部２５は、後述するロータリエンコーダ８８で検知ディスク８７のスリットを検知する毎に棒金検出センサ７６，７７のそれぞれの貨幣検出データを取り込むことになり、取り込んだそれぞれの貨幣検出データを、後述するロータリエンコーダ８８の開閉位相データに基づいて、例えば所定の一定開閉速度での貨幣検出データに補正する。
【００４６】
そして、制御部２５は、棒金検出センサ７６，７７で棒金Ｂが検出されている範囲を基準として検出範囲を設定し、この検出範囲における、棒金検出センサ７６，７７の補正後の貨幣検出データと、記憶部２６に記憶された棒金Ｂ用の数量マスタデータとを照合することで、棒金収納庫１２（Ｃ）内の棒金Ｂの数量である数量検出データを取得する。例えば、棒金検出センサ７６，７７の補正後の貨幣検出データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。
【００４７】
また、制御部２５は、上記検出範囲における、棒金検出センサ７６，７７の補正後の貨幣検出データと、記憶部２６に記憶された金種マスタデータとを照合することで、棒金収納庫１２（Ｃ）内の棒金Ｂの金種である金種検出データを取得する。例えば、棒金検出センサ７６，７７の補正後の貨幣検出データの中で、上記のように検出した棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出データの反射光量とを金種マスタデータの金種基準データと比較して、許容範囲内で一致する金種基準データに対応する金種を、この棒金部分に対応する棒金Ｂの金種とする金種検出データを取得する金種判断を行う。
【００４８】
なお、制御部２５は、左右方向の位置が合う棒金検出センサ７６，７７の両方のデータを総合して棒金Ｂの数量検出データおよび金種検出データ等を取得することになり、棒金検出センサ７６，７７の各組それぞれについて、別々に、棒金Ｂの数量検出データおよび金種検出データを取得する。
【００４９】
現金管理装置本体１１内には、前後位置に、図９に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００５０】
そして、三つの歯付プーリ８３，８４，８６にはタイミングベルト９１が巻回されており、このタイミングベルト９１には、収納庫１２のうちの対応するものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データを取得することになる。制御部２５は、この開閉位相データから収納庫１２の開閉方向およびその位置を割り出すことになり、移動量を時間で除算することで収納庫１２の開閉速度を割り出すことになる。なお、検知ディスク８７と一体回転する歯付プーリ８６の前方にはタイミングベルト９１の弛みをとるテンションプーリ９２が設けられている。
【００５１】
また、現金管理装置本体１１には、対応する収納庫１２の後端部の検知片９５を検知することで、この収納庫１２が現金管理装置本体１１に最も押し込まれた後端位置である全閉位置にあることを示す開閉位相データを取得する位置固定の全閉検知センサ９６が収納庫１２のそれぞれに対して設けられている。現金管理装置本体１１には、収納庫１２の後端部の検知片９５を検知することで、この収納庫１２が現金管理装置本体１１から最も引き出された前端位置である全開位置にあることを示す開閉位相データを取得する位置固定の全開検知センサ９７が収納庫１２のそれぞれに対して設けられている。つまり、全閉検知センサ９６および全開検知センサ９７は、収納庫１２の開閉位相情報を取得する。
【００５２】
加えて、現金管理装置本体１１には、図２に示すように、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されると開指令信号を停止させることになり、この状態でロック機構２２は、収納庫１２が全閉位置に戻されると、収納庫１２を引き出し不可に自動的かつ機械的にロックする。
【００５３】
以上に述べた本実施形態に係る現金管理装置１０によれば、棒金トレイ３８の１カ所の下方に凹む上方開口形状の棒金収納凹部４１に満杯に棒金Ｂを収納すれば、これら棒金Ｂをそれぞれ１本収納空間４７に配置し立位状態で収納することができる。他方、棒金収納凹部４１に満杯に棒金Ｂを収納することができない場合は、棒金収納凹部４１の周囲に設けられた複数の係止部５０の中から適宜選択して輪ゴムＲを係止し、この輪ゴムＲで棒金収納凹部４１内の満杯状態にない１本または複数本の棒金Ｂをそれぞれ１本収納空間４７に配置して立位状態に収納することができる。よって、同じ棒金トレイ３８を満杯収納用と端数収納用とで共用化（共通部品化）しても、満杯の棒金Ｂおよび端数の棒金Ｂのいずれも立位状態でそれぞれ１本収納空間４７に収納することができる。したがって、同じ棒金トレイ３８を満杯収納用と端数収納用とで共用化できるため、コストを低減することができる。
【００５４】
また、同じ棒金トレイ３８を満杯収納用と端数収納用とで共用化するため、複数の棒金トレイ３８の中から任意で満杯収納用と端数収納用とを設定することができる。したがって、使い勝手性が向上する。
【００５５】
また、棒金収納凹部４１は、満杯に棒金Ｂを収納する状態で、それぞれ収納庫１２の引き出し方向に１列に並ぶ３本の棒金列、４本の棒金列および３本の棒金列を形成するため、棒金収納凹部４１の周囲に複数の係止部５０を設けても棒金トレイ３８の幅方向の拡大を抑制できる。
【００５６】
また、棒金収納凹部４１はハニカム状をなすため、製造が容易となり、コストをより低減することができる。
【００５７】
また、収納する棒金Ｂの全ての金種について、同一金種用の全ての棒金トレイ３８が複数の係止部５０を有するため、収納する棒金Ｂの全ての金種について、同一金種用の全ての棒金トレイ３８を共用化することができる。したがって、コストをより低減することができる。
【００５８】
また、係止部５０が、棒金収納凹部４１に満杯に収納された棒金Ｂの隣り合うもの同士を結ぶ線の水平な垂直二等分線上に配置されているため、これら隣り合う棒金Ｂのいずれにも輪ゴムＲを掛け易くなる。よって、係止部５０の数を減らすことができるため、コストをより低減することができる。
【００５９】
また、係止部５０の棒金収納凹部４１の上端開口部よりも上側位置に、棒金収納凹部４１とは水平反対方向に突出する突起部５２が形成されているため、柱状部５１に掛けられた輪ゴムＲの係止部５０からの外れを規制できる。したがって、係止部５０に掛けられた輪ゴムＲによる棒金Ｂの支持がより安定する。
【符号の説明】
【００６０】
１０  現金管理装置
１１  現金管理装置本体
１２  収納庫
１２（Ｃ）  棒金収納庫
３４  枠体
３８  棒金トレイ
４１  棒金収納凹部
５０  係止部
５２  突起部
Ｂ  棒金
Ｒ  輪ゴム
【図１】
2016091152.tif 000003
【図２】
2016091152.tif 000004
【図３】
2016091152.tif 000005
【図４】
2016091152.tif 000006
【図５】
2016091152.tif 000007
【図６】
2016091152.tif 000008
【図７】
2016091152.tif 000009
【図８】
2016091152.tif 000010
【図９】
2016091152.tif 000011